(57)【要約】【課題】生産時に電子制御装置の固有のＩＤを付属装置へ個別に記録させるカスタム対応をせずに、盗難行為者が付属装置を盗み、他の装置に使用しようとしても、使用することができない情報処理システムを提供することを目的とする。【解決手段】付属装置用に記憶されているコードを読み出す不揮発性メモリ読み出し手段と、電子制御装置の固有のコードと、付属装置用不揮発性メモリから読み出したコードとを照合する照合手段とを有する。両コードが互いに一致すると、付属装置の使用を許可する使用許可手段と、付属装置用不揮発性メモリに記憶されているコードが初期値であることを検出する初期値検出手段とを有する。付属装置用不揮発性メモリに記憶されているコードが初期値であることを、初期値検出手段が検出すると、付属装置用不揮発性メモリに、電子制御装置の固有のコードを記憶させる不揮発性メモリ書き換え手段を有する。【選択図】図２
2008275850.tif 000002
【特許請求の範囲】
【請求項１】
電子制御装置と、上記電子制御装置の付属装置とを具備し、上記電子制御装置が、装置固有のコードを記憶している電子制御装置用不揮発メモリを備え、上記付属装置が付属装置用不揮発メモリを搭載している情報処理システムにおいて、
上記付属装置用に記憶されているコードを読み出す不揮発性メモリ読み出し手段と；
上記電子制御装置の固有のコードと、上記付属装置用不揮発性メモリから読み出したコードとを照合する照合手段と；
上記両コードが互いに一致すると、上記付属装置の使用を許可する使用許可手段と；
上記付属装置用不揮発性メモリに記憶されているコードが初期値であることを検出する初期値検出手段と；
上記付属装置用不揮発性メモリに記憶されているコードが初期値であることを、上記初期値検出手段が検出すると、上記付属装置用不揮発性メモリに、上記電子制御装置の固有のコードを記憶させる不揮発性メモリ書き換え手段と；
を有することを特徴とする情報処理システム。
【請求項２】
請求項１において、
上記電子制御装置の固有のコードと、上記付属装置用不揮発性メモリから読み出したコードとが一致しないことを、上記照合手段が判断すると、上記付属装置を使用不可能であることを、ユーザに通知する使用不可能通知手段を有することを特徴とする情報処理システム。
【請求項３】
請求項１又は請求項２において、
上記不揮発性メモリ書き換え手段は、上記付属装置が不要になると、上記付属装置用不揮発性メモリから、電子制御装置固有のコードを抹消する手段であることを特徴とする情報処理システム。
【請求項４】
電子制御装置の固有のコードを備え、付属装置とともに使用することが可能な電子制御装置において、
上記付属装置に記憶されているコードを読み出す不揮発性メモリ読み出し手段と；
上記電子制御装置の固有のコードと、上記付属装置に搭載されている不揮発性メモリから読み出したコードとを照合する照合手段と；
上記両コードが互いに一致すると、上記付属装置の使用を許可する使用許可手段と；
上記付属装置に搭載されている不揮発性メモリに記憶されているコードが、初期値であることを検出する初期値検出手段と；
上記不揮発性メモリに記憶されているコードが、初期値であることを、上記初期値検出手段が検出すると、上記付属装置に搭載されている不揮発性メモリに、上記電子制御装置の固有のコードを記憶させる不揮発性メモリ書き換え手段と；
を有することを特徴とする電子制御装置。
【請求項５】
請求項４において、
上記照合手段において、上記電子制御装置の固有のコードと、上記付属装置に搭載されている不揮発性メモリから読み出したコードとが一致しなければ、ユーザに使用不可能であることを通知する使用不可能通知手段を有することを特徴とする電子制御装置。
【請求項６】
請求項４又は請求項５において、
上記不揮発性メモリ書き換え手段は、上記付属装置が不要のものとなった場合、付属装置に搭載されている不揮発性メモリから、電子制御装置固有のコードの記憶を抹消する手段であることを特徴とする電子制御装置。
【請求項７】
装置固有のコードを備える電子制御装置とともに使用する付属装置であって、
電子制御装置の固有のコードを記憶するための不揮発性メモリを有することを特徴とする付属装置。
【請求項８】
電子制御装置と、上記電子制御装置の付属装置とを具備し、上記電子制御装置が、装置固有のコードを記憶している電子制御装置用不揮発メモリを備え、上記付属装置が付属装置用不揮発メモリを搭載している情報処理システムの制御方法において、
上記付属装置用に記憶されているコードを読み出す不揮発性メモリ読み出し工程と；
上記電子制御装置の固有のコードと、上記付属装置用不揮発性メモリから読み出したコードとを照合する照合工程と；
上記両コードが互いに一致すると、上記付属装置の使用を許可する使用許可工程と；
上記付属装置用不揮発性メモリに記憶されているコードが初期値であることを検出し、記憶装置に記憶する初期値検出工程と；
上記付属装置用不揮発性メモリに記憶されているコードが初期値であることを、上記初期値検出工程で検出すると、上記付属装置用不揮発性メモリに、上記電子制御装置の固有のコードを記憶させる不揮発性メモリ書き換え工程と；
を有することを特徴とする情報処理システムの制御方法。
【請求項９】
電子制御装置の固有のコードを備え、付属装置とともに使用することが可能な電子制御装置の制御方法において、
上記付属装置に記憶されているコードを読み出す不揮発性メモリ読み出し工程と；
上記電子制御装置の固有のコードと、上記付属装置に搭載されている不揮発性メモリから読み出したコードとを照合する照合工程と；
上記両コードが互いに一致すると、上記付属装置の使用を許可する使用許可工程と；
上記付属装置に搭載されている不揮発性メモリに記憶されているコードが、初期値であることを検出する初期値検出工程と；
上記不揮発性メモリに記憶されているコードが、初期値であることを、上記初期値検出工程で検出されると、上記付属装置に搭載されている不揮発性メモリに、上記電子制御装置の固有のコードを記憶させる不揮発性メモリ書き換え工程と；
を有することを特徴とする電子制御装置の制御方法。
【発明の詳細な説明】
【技術分野】
【０００１】
本発明は、装置の固有コードを具備し、盗難防止機能を有する情報処理システム、電子制御装置及びこれらの制御方法に関する。
【背景技術】
【０００２】
従来、電子制御装置から持ち出し可能な付属装置の盗難を防止するために、各種の盗難防止機能を有する装置が提案されている。
【０００３】
たとえば、付属装置を電子制御装置に固定する機構を設け、所定の操作を行わなければ、固定が解除されないシステムが知られている（たとえば、特許文献１参照）。
【０００４】
しかし、盗難行為者が固定機構を破壊すると、又は、所定の操作方法を実行すると、盗難を防止することができない。また、大掛かりなメカ機構を設けると、コストの増加になる。
【０００５】
一方、盗難防止技術として、電子制御装置固有のＩＤと、付属装置に記憶されているコードとを照合し、一致した場合に利用可能とするセキュリティ技術が知られている（たとえば、特許文献２参照）。
【０００６】
このシステムにおいて、盗難行為者が付属装置を盗み、他の装置に利用しようとしても、電子制御装置固有のＩＤと、付属装置に記憶されているコードとが一致しないので、盗んだ付属装置を使用することができず、盗難を抑止することができる。
【特許文献１】特開２００２−１９２７４９号公報
【特許文献２】特開２０００−３３５３７１号公報
【発明の開示】
【発明が解決しようとする課題】
【０００７】
しかし、電子制御装置の固有のＩＤと付属装置に記憶されているコードとを照合し、一致すると、利用可能とするセキュリティ技術では、次の問題がある。
【０００８】
つまり、電子制御装置の固有のＩＤを付属装置へ個々に記録させるためには、ユーザが所持する電子制御装置固有のＩＤ情報を、付属装置に記録する等、カスタム対応が必要である。この作業は、非効率的であり、コストが増加する可能性があるという問題がある。
【０００９】
本発明は、生産時に電子制御装置の固有のＩＤを付属装置へ個別に記録させるカスタム対応を実行しなくても、盗難行為者が付属装置を盗み、他の装置に使用しようとしても、使用することができない情報処理システムを提供することを目的とする。
【課題を解決するための手段】
【００１０】
本発明は、電子制御装置と、上記電子制御装置の付属装置とを具備し、上記電子制御装置が、装置固有のコードを記憶している電子制御装置用不揮発メモリを備え、上記付属装置が付属装置用不揮発メモリを搭載している情報処理システムである。また、本発明は、上記付属装置用に記憶されているコードを読み出す不揮発性メモリ読み出し手段と、上記電子制御装置の固有のコードと、上記付属装置用不揮発性メモリから読み出したコードとを照合する照合手段とを有する。さらに、本発明は、上記両コードが互いに一致すると、上記付属装置の使用を許可する使用許可手段と、上記付属装置用不揮発性メモリに記憶されているコードが初期値であることを検出する初期値検出手段とを有する。そして、本発明は、上記付属装置用不揮発性メモリに記憶されているコードが初期値であることを、上記初期値検出手段が検出すると、上記付属装置用不揮発性メモリに、上記電子制御装置の固有のコードを記憶させる不揮発性メモリ書き換え手段を有する。
【発明の効果】
【００１１】
本発明によれば、生産時に電子制御装置の固有のＩＤを付属装置へ個別に記録させるカスタム対応を実行しなくても、盗難行為者が付属装置を盗み、他の装置に使用しようとしても、使用することができないという効果を奏する。
【発明を実施するための最良の形態】
【００１２】
発明を実施するための最良の形態は、次の実施例である。
【実施例１】
【００１３】
図１は、本発明の実施例１である情報処理システムＳＳ１を示すブロック図である。
【００１４】
情報処理システムＳＳ１は、プリンタ１０と、インクタンク２０とを有する。
【００１５】
プリンタ１０は、電子制御装置の例であり、制御ユニット１１を有する。制御ユニット１１は、ＥＥＰＲＯＭ１２を有する。
【００１６】
プリンタ１０は、制御ユニット１１を有する。制御ユニット１１は、プリンタ１０を制御し、ＥＥＰＲＯＭ１２を有する
ＥＥＰＲＯＭ１２は、不揮発性メモリの例であり、プリンタ１０の固有のＩＤを記録している。
【００１７】
インクタンク２０は、プリンタ１０の付属装置の例であり、ＥＥＰＲＯＭ２１を有する。また、インクタンク２０は、プリンタ１０に接続され、プリンタ１０が印刷処理を行うときに、インクを用いて画像を形成する。
【００１８】
次に、プリンタ１０の動作について説明する。
【００１９】
図２は、プリンタ１０の動作を示すフローチャートである。
【００２０】
プリンタ１０は、インクタンク２０を利用するシーケンスになったときに、次の制御を行う。
【００２１】
Ｓ２１で、インクタンク２０のＥＥＰＲＯＭ２１に記録されているＩＤを読み出す。Ｓ２２で、プリンタ１０固有のＩＤとインクタンク２０から読み出したＩＤとが一致していることを確認する。一致していれば、Ｓ２３で、印刷制御を行い、処理を終了する。
【００２２】
Ｓ２２でプリンタ１０固有のＩＤとインクタンク２０から読み出したＩＤとが一致していなければ、Ｓ２４に進む。Ｓ２４で、インクタンク２０から読み出したＩＤが初期値であることを確認する。インクタンク２０から読み出したＩＤが初期値であれば、Ｓ２５で、プリンタ１０固有のＩＤを、インクタンク２０のＥＥＰＲＯＭ２１に記録する。その後に、Ｓ２３で、通常の印刷制御を行い、処理を終了する。
【００２３】
Ｓ２４でインクタンク２０から読み出したＩＤが初期値でなければ、Ｓ２６に進む。Ｓ２６で、使用不可能であることを、ユーザに通知し、処理を終了する。
【００２４】
次に、実施例１において、インクタンク２０のインクの残量に応じたプリンタ１０の動作について説明する。
【００２５】
図３は、実施例１において、インクタンク２０のインクの残量に応じたプリンタ１０の動作を示すフローチャートである。
【００２６】
プリンタ１０は、インクタンク２０のインク残量に応じて、次の制御を行う。
【００２７】
Ｓ３１で、インクタンク２０の残量を検出する。Ｓ３２で、インク残量があることを確認し、インク残量があれば、Ｓ３３で、印刷制御を行い、処理を終了する。Ｓ３２でインク残量を確認した結果、インク残量が無ければ、Ｓ３４で、インクタンク２０に記録されているＩＤを初期値に書き換える。その後に、Ｓ３５で、インクタンク２０の交換を、ユーザに促し、処理を終了する。ここで、Ｓ３４でインクタンク２０に記録されているＩＤを初期値に書き換える理由は、使い終わったインクタンクを廃棄する際、廃棄されたインクタンクに記載されたＩＤが他人に知られないためである。
【実施例２】
【００２８】
実施例２は、実施例１において処理手順が異なる実施例である。
【００２９】
実施例２における構成は、図１に示す構成と同様である。
【００３０】
図４は、実施例２において、プリンタ１０の処理を示すフローチャートである。
【００３１】
実施例２において、プリンタ１０は、インクタンク２０を利用するシーケンスで、次の制御を行う。
【００３２】
Ｓ４１で、インクタンク２０のＥＥＰＲＯＭ２１に記録されているＩＤを読み出す。Ｓ４２で、インクタンク２０から読み出したＩＤが初期値であることを確認する。インクタンク２０から読み出したＩＤが初期値であれば、Ｓ４３で、プリンタ１０固有のＩＤを、インクタンク２０のＥＥＰＲＯＭ２１に記録する。その後に、Ｓ４４で、通常の印刷制御を行い、処理を終了する。
【００３３】
Ｓ４２でインクタンク２０から読み出したＩＤが初期値でなければ、Ｓ４５に進む。Ｓ４５で、プリンタ１０固有のＩＤと、インクタンク２０から読み出したＩＤとが一致していることを確認する。一致していれば、Ｓ４４で、印刷制御を行い、処理を終了する。
【００３４】
Ｓ４５でプリンタ１０固有のＩＤとインクタンク２０から読み出したＩＤとが一致していなければ、Ｓ４６に進む。Ｓ４６で、使用不可能であることを、ユーザに通知し、処理を終了する。
【００３５】
上記実施例によれば、生産時に電子制御装置の固有のＩＤを付属装置へ個別に記録させるカスタム対応を実行しなくても、盗難行為者が付属装置を盗み、他の装置に使用しようとしても、使用することができない。
【００３６】
上記実施例において、プリンタ１０は、電子制御装置の例であり、インクタンク２０は、電子制御装置の付属装置の例である。電子制御装置と付属装置とがあり、同様の制御によって盗難防止を図ることができる他のシステムに、上記実施例を適用することができる。
【００３７】
なお、上記付属装置が不要になると、不揮発性メモリから、電子制御装置固有のコードを抹消する不揮発性メモリ書き換え手段が設けられている。
【００３８】
つまり、上記実施例は、電子制御装置と、上記電子制御装置の付属装置とを具備し、上記電子制御装置が、装置固有のコードを記憶している電子制御装置用不揮発メモリを備え、上記付属装置が付属装置用不揮発メモリを搭載している情報処理システムの例である。また、上記実施例は、上記付属装置用に記憶されているコードを読み出す不揮発性メモリ読み出し手段と、上記電子制御装置の固有のコードと、上記付属装置用不揮発性メモリから読み出したコードとを照合する照合手段とを有する。さらに、上記実施例は、上記両コードが互いに一致すると、上記付属装置の使用を許可する使用許可手段と、上記付属装置用不揮発性メモリに記憶されているコードが初期値であることを検出する初期値検出手段とを有する。そして、上記実施例は、上記付属装置用不揮発性メモリに記憶されているコードが初期値であることを、上記初期値検出手段が検出すると、上記付属装置用不揮発性メモリに、上記電子制御装置の固有のコードを記憶させる不揮発性メモリ書き換え手段を有する。
【００３９】
この場合、上記電子制御装置の固有のコードと、上記付属装置用不揮発性メモリから読み出したコードとが一致しないことを、上記照合手段が判断すると、上記付属装置を使用不可能であることを、ユーザに通知する使用不可能通知手段を有する。
【００４０】
また、上記不揮発性メモリ書き換え手段は、上記付属装置が不要になると、上記付属装置用不揮発性メモリから、電子制御装置固有のコードを抹消する手段である。
【００４１】
そして、上記実施例は、電子制御装置の固有のコードを備え、付属装置とともに使用することが可能な電子制御装置において、上記付属装置に記憶されているコードを読み出す不揮発性メモリ読み出し手段を有する。また、上記実施例は、上記電子制御装置の固有のコードと、上記付属装置に搭載されている不揮発性メモリから読み出したコードとを照合する照合手段と、上記両コードが互いに一致すると、上記付属装置の使用を許可する使用許可手段とを有する。さらに、上記実施例は、上記付属装置に搭載されている不揮発性メモリに記憶されているコードが、初期値であることを検出する初期値検出手段を有する。そして、上記実施例は、不揮発性メモリに記憶されているコードが、初期値であることを、初期値検出手段が検出すると、付属装置に搭載されている不揮発性メモリに、電子制御装置の固有のコードを記憶させる不揮発性メモリ書き換え手段を有する。さらに、上記実施例は、照合手段において、電子制御装置の固有のコードと、付属装置に搭載されている不揮発性メモリから読み出したコードとが一致しなければ、ユーザに使用不可能であることを通知する使用不可能通知手段を有する。
【００４２】
そして、上記不揮発性メモリ書き換え手段は、上記付属装置が不要のものとなった場合、付属装置に搭載されている不揮発性メモリから、電子制御装置固有のコードの記憶を抹消する手段である。
【００４３】
さらに、上記実施例は、装置固有のコードを備える電子制御装置とともに使用する付属装置であって、電子制御装置の固有のコードを記憶するための不揮発性メモリを有する付属装置である。
【００４４】
また、上記実施例を方法の発明として把握することができる。上記実施例は、電子制御装置と、上記電子制御装置の付属装置とを具備し、上記電子制御装置が、装置固有のコードを記憶している電子制御装置用不揮発メモリを備え、上記付属装置が付属装置用不揮発メモリを搭載している情報処理システムの制御方法である。また、上記実施例は、上記付属装置用に記憶されているコードを読み出す不揮発性メモリ読み出し工程と、上記電子制御装置の固有のコードと、上記付属装置用不揮発性メモリから読み出したコードとを照合する照合工程とを有する。そして、上記実施例は、上記両コードが互いに一致すると、上記付属装置の使用を許可する使用許可工程と、上記付属装置用不揮発性メモリに記憶されているコードが初期値であることを検出し、記憶装置に記憶する初期値検出工程とを有する。さらに、上記実施例は、上記付属装置用不揮発性メモリに記憶されているコードが初期値であることを、上記初期値検出工程で検出すると、上記付属装置用不揮発性メモリに、上記電子制御装置の固有のコードを記憶させる不揮発性メモリ書き換え工程を有する。
【００４５】
また、上記実施例は、電子制御装置の固有のコードを備え、付属装置とともに使用することが可能な電子制御装置の制御方法の例である。そして、上記実施例は、上記付属装置に記憶されているコードを読み出す不揮発性メモリ読み出し工程と、上記電子制御装置の固有のコードと、上記付属装置に搭載されている不揮発性メモリから読み出したコードとを照合する照合工程とを有する。さらに、上記実施例は、上記両コードが互いに一致すると、上記付属装置の使用を許可する使用許可工程と、上記付属装置に搭載されている不揮発性メモリに記憶されているコードが、初期値であることを検出する初期値検出工程とを有する。また、上記実施例は、上記不揮発性メモリに記憶されているコードが、初期値であることを、初期値検出工程で検出されると、付属装置に搭載されている不揮発性メモリに、電子制御装置の固有のコードを記憶させる不揮発性メモリ書き換え工程を有する。
【図面の簡単な説明】
【００４６】
【図１】本発明の実施例１である情報処理システムＳＳ１を示すブロック図である。
【図２】プリンタ１０の動作を示すフローチャートである。
【図３】実施例１において、インクタンク２０のインクの残量に応じたプリンタ１０の動作を示すフローチャートである。
【図４】実施例２において、プリンタ１０の処理を示すフローチャートである。
【符号の説明】
【００４７】
１０…プリンタ、
１１…制御ユニット、
１２…ＥＥＰＲＯＭ、
２０…インクタンク、
２１…ＥＥＰＲＯＭ。
【図１】
2008275850.tif 000003
【図２】
2008275850.tif 000004
【図３】
2008275850.tif 000005
【図４】
2008275850.tif 000006